(57)【要約】      （修正有）【課題】ＵＳＢコネクタを小電力供給装置として使う周辺機器の増加に伴って、二つの異なる規格のコネクタ仕様の切替えがほぼワンタッチでできる電気コネクタ構造を提供する。【解決手段】前端に開口部３１と、内部が中空である直方体の筒状に形成されてなりステンレス鋼等からなる枠体３とを備えるとともに、枠体の上側半部３３内に設けた端面形状台形の筒状に形成されてなりステンレス鋼等からなる小枠体７３内に形成された第二の端子部７がＵＳＢ規格に準拠のマイクロＢタイプ仕様に挿着でき、枠体の下側半部３７内に形成された第一の端子部５がＵＳＢ規格に準拠のＡタイプ仕様に挿着できるように、小枠体７３を摘み部９で前後移動でき、引き出された位置で突部７９により係止できる構成とした。【選択図】図１
0003202472.tif 000002
【実用新案登録請求の範囲】
【請求項１】
前端が開口され、内部が中空である直方体の筒状に形成されてなる枠体、
前記枠体の上側半部に内嵌されてなる絶縁体ブロック、及び、
前記枠体の下側半部の内部において前記絶縁体ブロックの下面に取り付けられている金属端子から構成されてなる第一の端子部と、
前記枠体の上側半部内に、前記絶縁体ブロックの上面に設置され、前記枠体に対して前後方向へ摺動可能であって前記開口から突出状態で保持されると共に、退没状態で保持される第二の端子部とが設けられ、
前記第二の端子部は、使用時において前記第一の端子部の前記金属端子と前記枠体の内部で電気的に接続されてなる
ことを特徴とする電気コネクタ構造。
【請求項２】
前記第二の端子部の上端面には、上方に付勢されてなる突部が設けられ、
前記枠体の上端面には、前記第二の端子部が前記開口から引き出された位置において前記突部が嵌め込まれる係止穴が形成されてなる
ことを特徴とする請求項１に記載の電気コネクタ構造。
【請求項３】
前記第二の端子部の側面には、側方へ突設されてなる摘み部が設けられ、
前記摘み部は、前記枠体の側面において前後方向に幅広に形成されてなる解放部から露出してなる
ことを特徴とする請求項１若しくは２に記載の電気コネクタ構造。
【考案の詳細な説明】
【技術分野】
【０００１】
本考案は、ＰＣ（パーソナルコンピュータ）や携帯情報端末等の情報機器に設けられた端子差込部に接続可能な電気コネクタの構造に関する。
【背景技術】
【０００２】
情報機器側の端子差込部から電子情報や小電力が得られることを利用して使われる周辺機器が増加してきている。また、電気コネクタの型式としては、ＵＳＢ規格に準拠して、Ａタイプ、Ｂタイプ、ミニＡタイプ、ミニＢタイプ、マイクロＡタイプ、及びマイクロＢタイプ等々があり、規格及び用途によって使い分けられており、その一例として、マイクロＵＳＢプラグの強度向上に関する提案がされている（特許文献１参照）。
【先行技術文献】
【特許文献】
【０００３】
【特許文献１】特開２０１３−１８２７５３号公報
【考案の概要】
【考案が解決しようとする課題】
【０００４】
しかし、従来技術は、Ａタイプ、Ｂタイプ、ミニＡタイプ、ミニＢタイプ、マイクロＡタイプ、及びマイクロＢタイプの単一規格で製品化されるために、用途が限定され、且つ使用に不便が生じると共に、規格に合った電気コネクタを複数揃えておかなければならないという課題があった。
【課題を解決するための手段】
【０００５】
そこで、上記課題を解決するための手段として本考案に係る電気コネクタ構造は、前端が開口され、内部が中空である直方体の筒状に形成されてなる枠体、前記枠体の上側半部に内嵌されてなる絶縁体ブロック、及び前記枠体の下側半部の内部において前記絶縁体ブロックの下面に取り付けられている金属端子から構成されてなる第一の端子部と、前記枠体の上側半部内に、前記絶縁体ブロックの上面に設置され、前記枠体に対して前後方向へ摺動可能であって前記開口から突出状態で保持されると共に、退没状態で保持される第二の端子部とが設けられ、前記第二の端子部は、使用時において前記第一の端子部の前記金属端子と前記枠体の内部で電気的に接続されてなる。
【０００６】
また、前記第二の端子部の上端面には、上方に付勢されてなる突部が設けられ、前記枠体の上端面には、前記第二の端子部が前記開口から引き出された位置において前記突部が嵌め込まれる係止穴が形成されてなるものとしても好ましい。
【０００７】
また、前記第二の端子部の側面には、側方へ突設されてなる摘み部が設けられ、  前記摘み部は、前記枠体の側面において前後方向に幅広に形成されてなる解放部から露出してなるものとしても好ましい。
【０００８】
前記電気コネクタ構造は、前記第二の端子部が前記枠体の前記開口から退没状態で保持された状態において、プラグ部分（雄側コネクタ）となる前記枠体を被接続装置である情報機器側の端子差込部（Ａタイプ仕様）のコンセント部分（雌型コネクタ）に挿着することにより、前記電気コネクタ構造の前記第一の端子部と、端子差込部の接触端子部との電気的接続ができる。
【０００９】
また、前記電気コネクタ構造は、前記第二の端子部が前記枠体の前記開口から突出状態で保持された状態において、プラグ部分（雄側コネクタ）となる前記第二の端子部が被接続装置である情報機器側の端子差込部（マイクロＢタイプ仕様）のコンセント部分（雌型コネクタ）に挿着されることにより、前記電気コネクタ構造の前記第二の端子部と端子差込部（マイクロＢタイプ仕様）の接触端子部との電気的接続ができる。この場合、前記第一の端子部は、前記第二の端子部が突出状態であるため、前記枠体の下側半部の内部は電気的・機械的にコンセント部分とは非接触状態となっている。
【００１０】
また、前記電気コネクタ構造は、前記第一の端子部の各ピンと前記第二の端子部の各ピンの共通端子同士が後端側で摺動型接点により互いに電気的接続がなされており、前記第一の端子部の各ピンと、前記第二の端子部の共通端子以外の単独端子とをシールド付きケーブルの各芯線に結線し、前記第一の端子部及び前記第二の端子部が組み込まれた前記枠体の後端部分と、前記シールド付きケーブルの結線部分とを樹脂金型にセットしてインサート成形により一体に成形して製品が完成され、シールド付きケーブルの他端部は周辺機器等に接続して使用される。
【００１１】
このようにしてなる前記電気コネクタ構造は、シールド付きケーブルに接続するのではなく、例えば超小型ＬＥＤスタンド照明に直結する方法として、超小型ＬＥＤスタンド照明のソケット部分と前記電気コネクタ構造の前記枠体の後端部分とを一体に成形することも可能である。これにより、読書等で照明が必要な場合、その時々に手軽で明るいスポット照明を得ることができる。
【００１２】
また、前記電気コネクタ構造は、前記第二の端子部の上端面に、上方に付勢されてなる突部が設けられ、前記枠体の上端面には、前記第二の端子部が前記開口から引き出された位置（突出状態）において、前記突部が嵌め込まれる第一の係止穴が形成されてなることとしても良い。これにより、前記第二の端子部が突出状態の際、前記第一の係止穴に前記突部が嵌め込まれることで、前記第二の端子部の先端側突出時の位置決めとなり、且つ突出状態を保持することができる。
【００１３】
また同様に、前記枠体の上端面には、前記第二の端子部が前記開口から押し込まれた位置（退没状態）において、前記突部が嵌め込まれる第二の係止穴が形成されてなることとしても良い。これにより、前記第二の端子部が退没状態の際、前記第二の係止穴に前記突部が嵌め込まれることで、前記第二の端子部の後端側退没時の位置決めとなり、且つ退没状態を保持することができる。
【００１４】
なお、前記第二の端子部の突出状態と退没状態との前後の摺動は、上方に付勢されてなる前記第二の端子部の前記突部を押さえ込むことで、前記第一の係止穴及び前記第二の係止穴から前記突部が外れることにより、前記第二の端子部の前後移動が可能な状態となる。
【００１５】
また、前記第二の端子部の側面には、側方へ突設されてなる摘み部が先端部分において、上向きに折り曲げられてなるＬ字型の指掛け部を備えてなることとしても好ましい。前記摘み部は、前記枠体の両側面において前後方向に幅広に形成されてなる解放部から露出してなることとしても良い。これにより、前記第二の端子部の前後移動の際に、例えば前記摘み部を親指と中指で摘まんで、且つ人差し指で前記突部を押さえて前後に動かすことにより、前記第二の端子部を簡単に前後移動させることができる。
【考案の効果】
【００１６】
本考案によれば、異なる規格からなる端子部が一つの枠体内に構成されると共に、目的によって、いずれかの端子部を選択して独立に使用することができる。
【００１７】
また本考案によれば、前記第二の端子部の前後移動用として、前記第二の端子部の両側面に側方へ突設されてなる先端部分に前記摘み部を設けているために、前記第二の端子部の前後移動が簡便な前記電気コネクタ構造を提供することができる。
【００１８】
また本考案によれば、前記第二の端子部の退没状態は、前記第二の端子部の前端が前記第一の端子部の前端と同一面となる位置で、前記第二の端子部が保持されてなることが好ましい。これにより、前記電気コネクタ構造の前後長さを短くすることができる。
【００１９】
このように本考案によれば、異なる二つの端子部を一つの枠体の内部構造として構成しているので、コンパクトで、実用性が高く、且つ製品コストを低く抑えることができる電気コネクタ構造を提供することができる。
【図面の簡単な説明】
【００２０】
【図１】本考案の電気コネクタ構造の一実施例を示し、第二の端子部が枠体に対して『突出状態』になっている場合の電気コネクタ構造の正面図である。
【図２】図１の電気コネクタ構造の一実施例を示し、電気コネクタ構造の平面図である。
【図３】図１の電気コネクタ構造の一実施例を示し、電気コネクタ構造の底面図である。
【図４】図１の電気コネクタ構造の一実施例を示し、電気コネクタ構造の右側面図である。
【図５】図１の電気コネクタ構造の一実施例を示し、電気コネクタ構造の左側面図である。
【図６】本考案の電気コネクタ構造の一実施例を示し、第二の端子部が枠体に対して『退没状態』になっている場合の電気コネクタ構造の正面図である。
【図７】図６の電気コネクタ構造の一実施例を示し、電気コネクタ構造の平面図である。
【図８】図６の電気コネクタ構造の一実施例を示し、電気コネクタ構造の底面図である。
【図９】図６の電気コネクタ構造の一実施例を示し、電気コネクタ構造の右側面図である。
【図１０】図６の電気コネクタ構造の一実施例を示し、電気コネクタ構造の左側面図である。
【考案を実施するための形態】
【００２１】
以下、本考案に係る実施の形態を、図を参照しながら詳しく説明する。
【００２２】
本考案の電気コネクタ構造１は、図１乃至図５に示すように、ＵＳＢ規格に準拠のＡタイプ仕様に挿着できるように、前端に開口部３１を形成し、且つ内部が中空である直方体の筒状に形成されてなりステンレス鋼等からなる枠体３と、前記枠体３の上側半部３３に内嵌されて合成樹脂からなり前記枠体３の枠体内部を上下に分割する絶縁体ブロック３５と、前記枠体３の下側半部３７の内部で、且つ前記絶縁体ブロック３５の下面に一部埋設されて取り付けられ部分金メッキされた銅合金からなる金属端子５１から構成されてなる第一の端子部５と、が設けられてなる。
【００２３】
また、前記枠体３の前記上側半部３３内に、ＵＳＢ規格に準拠のマイクロＢタイプ仕様に挿着できるように、前端に小開口部７１を形成し、端面形状台形の筒状体に形成されてなりステンレス鋼等からなる小枠体７３と、前記小枠体７３に内嵌されてなり合成樹脂からなる小絶縁体ブロック７５と、前記小枠体７３の内部で且つ前記小絶縁体ブロック７５の下面側に一部埋設されて取り付けられ部分金メッキされた銅合金からなる小金属端子７７から構成されてなる第二の端子部７と、が設けられてなる。
【００２４】
前記第二の端子部７が設けられてなる前記小枠体７３の下側は、前記上側半部３３に内嵌された前記絶縁体ブロック３５の上面略中央部に形成された溝部３５１に載置され、前記小枠体７３の上側は、前記小枠体７３の端面形状台形の傾斜部分に沿って前記枠体３を折り曲げて形成されたガイド板３５３、３５３で支持されることにより、前記小枠体７３が前記枠体３の軸方向と平行に前後移動ができる。
【００２５】
また、前記小枠体７３は、前記枠体３に対して前後方向へ移動可能であって、前記開口部３１から突出状態を保持するために、前記小枠体７３の上端面には四角柱状の駒体からなる突部７９が設けられ、前記突部７９は駒体の下面に設けられたバネ体によって、常時上方向に向かって力が加えられ、駒体の上部が前記第二の端子部７の上端面から突出した状態を維持するべく付勢されてなる。
【００２６】
前記枠体３の上端面の略中央部には、前記小枠体７３が前記枠体３の前記開口部３１から引き出された位置の突出状態において、前記突部７９が嵌め込まれる第一の係止穴３９１が形成されてなり、前記突部７９の駒体の上部後面が前記第一の係止穴３９１の内周縁と当接することにより、前記小枠体７３が前記枠体３に係止され、前記小枠体７３の突出状態における前記第二の端子部７の位置決めができる。
【００２７】
また、前記小枠体７３の両側面には、側方へ突設されてなる摘み部９、９が設けられ、前記摘み部９、９は前記枠体３の両側面において、前後方向に幅広に形成されてなるスリット状の解放部９１から前記枠体３より前記摘み部９、９の板厚一枚分程度（０．１５ｍｍ）突出してなる。さらに、前記摘み部９、９の先端部分は上向きに折り曲げられたＬ字型の指掛け部９３が形成されてなる。前記指掛け部９３が形成されたことにより、後述するように、親指と中指で摘まみやすくなる。
【００２８】
また、前記第一の端子部５の前記金属端子５１と、前記第二の端子部７の前記小金属端子７７とは前記枠体３内部の後方部において、摺動型接点により電気的に接続がされてなる。つまり、前記第一の端子部５の前記金属端子５１の各ピン（Ｖｃｃ、ＤＡＴＡ−、ＤＡＴＡ＋、ＧＮＤ）と、前記第二の端子部７の前記小金属端子７７の各ピン（Ｖｃｃ、ＤＡＴＡ−、ＤＡＴＡ＋、ＩＤ、ＧＮＤ）の内、共通端子（Ｖｃｃ、ＤＡＴＡ−、ＤＡＴＡ＋、ＧＮＤ）とが摺動型接点により、前記第一の端子部５と前記第二の端子部７との電気的接続がされてなり、且つ前記第一の端子部５の前記金属端子５１の各ピンと、前記第二の端子部７の前記小金属端子７７の単独端子であるＩＤピンとをシールド付きケーブル１１の各芯線に半田付けで結線（各ピンと芯線の接続はプリント基板を用いて接続しても良い。）して電気的接続がされてなる。
【００２９】
このように結線された状態で、前記第一の端子台５及び前記第二の端子部７が組み込まれた前記枠体３の後端部分と、前記シールド付きケーブル１１の結線部分とを樹脂金型にセットしてインサート成形により一体に成形してコネクタボディ１０１を形成することにより、製品としての前記電気コネクタ構造１が完成されてなる。
【００３０】
次に本考案の電気コネクタ構造１は、図６乃至図１０に示すように、前記小枠体７３を前記枠体３の前記開口部３１の前端が同一面となる位置の退没状態で保持されるように、前記枠体３の上端面の略後端部に形成された第二の係止穴３９３が形成されてなり、前記突部７９の駒体の上部後面が前記第二の係止穴３９３の内周縁と当接することにより、前記小枠体７３が前記枠体３に係止され、前記小枠体７３の退没状態における前記第二の端子部７の位置決めができる。
【００３１】
これにより、前記小枠体７３の前後移動の際に、例えば一方の手で前記コネクタボディ１０１を支えて、他方の手で前記摘み部９、９を親指と中指で摘まんで、且つ人差し指で上方に付勢されてなる前記突部７９を押さえて前記摘み部９、９を前後に摺動させることにより、前記小枠体７３を簡単に前後移動させることができる。
【００３２】
このようにしてなる本考案の電気コネクタ構造１は、一つの電気コネクタの製品として完成され、且つ二つの規格を有するので、異なる規格毎に電気コネクタを用意しなくても二つの規格の切替えができるＵＳＢコネクタ（雄側コネクタ）であって、ＵＳＢ規格に準拠したＡタイプ仕様と、マイクロＢタイプ仕様の両方の情報機器側の端子差込部のコンセント部分（雌型コネクタ）に挿着が可能な前記電気コネクタ構造１を提供することができる。
【００３３】
また本考案によれば、前記小枠体７３の前後移動用として、前記小枠体７３の両側面に側方へ突設されてなる先端部分にＬ字型に折り曲げた指掛け部９３を備えた前記摘み部９、９を設けているので、前記第二の端子部７を備えた前記小枠体７３の退没状態から突出状態へ移動ができ、前記第二の端子部７をマイクロＢタイプ仕様の情報機器側の端子差込部へ簡単に挿着できる前記電気コネクタ構造１を提供することができる。また同様に、前記小枠体７３退没状態にして、前記第一の端子部５を備えた枠体３をＡタイプ仕様の情報機器側の端子差込部へ簡単に挿着できる。
【００３４】
このように本考案によれば、複数の機能を簡単な構造でできるように構成しているので、用途が拡大され、且つ製品コストを低く抑えることができると共に、小電力供給装置として使うＵＳＢコネクタとしての使用に好適な前記電気コネクタ構造１を提供することができる。なお、前記電気コネクタ構造１は小電力供給装置として使うのみに限らず、通常のデータ通信の接続機器としての使用は言うまでもない。
【００３５】
また本考案によれば、前記第二の端子部７が設けられてなる前記小枠体７３の退没状態は、前記第二の端子部７の前端が前記第一の端子部５が設けられてなる枠体３の前記開口部３１の前端と同一面となる位置で、前記小枠体７３が前記枠体３に係止されるので、前記電気コネクタ構造１の前後長さを短くすることができ、製品コストを低く抑えることに繋がる。
【符号の説明】
【００３６】
１    電気コネクタ構造
３    枠体
５    第一の端子部
７    第二の端子部
９    摘み部
１１    シールド付きケーブル
３１    開口部
３３    上側半部
３５    絶縁体ブロック
３７    下側半部
５１    金属端子
７１    小開口部
７３    小枠体
７５    小絶縁体ブロック
７７    小金属端子
７９    突部
９１    解放部
９３    指掛け部
１０１    コネクタボディ
３５１    溝部
３５３    ガイド板
３９１    第一の係止穴
３９３    第二の係止穴
【図１】
0003202472.tif 000003
【図２】
0003202472.tif 000004
【図３】
0003202472.tif 000005
【図４】
0003202472.tif 000006
【図５】
0003202472.tif 000007
【図６】
0003202472.tif 000008
【図７】
0003202472.tif 000009
【図８】
0003202472.tif 000010
【図９】
0003202472.tif 000011
【図１０】
0003202472.tif 000012